(57)【特許請求の範囲】
【請求項１】
対向する一対の摺動板の間に、放射状に延びるように複数Ｎ個のリブを介在させることによりベンチレーション孔を形成したディスクブレーキ用のベンチレーテッドロータであって、
前記複数Ｎ個のリブのうち周方向に所定角度（３６０／ｎ度）離隔した任意のｎ個のリブのそれぞれをコアとし、各コアとそのコアを中心としてその両側に並ぶリブとからなるｋ個（３≦ｋ≦Ｎ／ｎ）のリブを一つのグループとしてｎ個のグループを想定した場合に、周方向で隣り合った前記コア同士は質量が異なり且つこのベンチレーテッドロータの回転軸に沿った方向の前記各グループの曲げ剛性が等しくなるように、前記グループに含まれるリブの質量を増減していることを特徴とするベンチレーテッドロータ。
【請求項２】
対向する一対の摺動板の間に、放射状に延びるように３６個のリブを介在させることによりベンチレーション孔を形成しており、前記３６個のリブは、長さの異なる二種類のリブで構成され、それら二種類のリブを交互に且つ等間隔に配置しているディスクブレーキ用のベンチレーテッドロータであって、
前記３６個のリブのうち周方向に９０度離隔した任意の４個のリブのそれぞれをコアとし、各コアとそのコアの両側のリブとからなる３個のリブを一つのグループとして４個のグループを想定した場合に、このベンチレーテッドロータの回転軸に沿った方向の前記各グループの曲げ剛性が等しくなるように、前記グループに含まれるリブの質量を増減していることを特徴とするベンチレーテッドロータ。
【請求項３】
前記コア同士が周方向に１８０度離隔した二つの前記グループを、同一構成としている請求項２記載のベンチレーテッドロータ。
【発明の詳細な説明】
【０００１】
【発明の属する技術分野】
この発明は、車輪とともに回転し且つブレーキパッドとの摩擦面を構成するディスクブレーキ用のロータのうち、内周面側から外周面側に通じるベンチレーション孔を形成して冷却効果の向上を図るようになっているベンチレーテッドロータに関し、特に、振動特性を改善できて、所謂ブレーキ鳴きを低減できるようにしたものである。
【０００２】
【従来の技術】
ブレーキ鳴きの低減を図った従来のベンチレーテッドロータとしては、例えば特開昭５８−２００８２７号公報に開示されたものがある。
かかる公報の特に第１図及び第２図に開示された従来のベンチレーテッドロータにあっては、ブレーキパッドとの摩擦面を形成する環状摺動板部の間に３０個の冷却フィンが設けられていて、それら冷却フィンの間が通気孔となっている。そして、冷却フィンは、５個を１群として６群に分けられていて、各群間並びに各群における冷却フィン同士の間隔が、群の端側からθ２  −θ１  −θ０  −θ１  −θ２  （θ２  ＞θ１  ＞θ０  ）となっており、また、それら５個の冷却フィンのそれぞれの幅が、同じく群の端側からａ２  −ａ１  −ａ０  −ａ１  −ａ２  （ａ２  ＞ａ１  ＞ａ０  ）となっている。つまり、ベンチレーテッドロータ全体では、環状摺動板部の内部の構成が周方向に６回周期的に反復する形状となっており、これにより、３の倍数の直径節の定常な振動モードの発生を防止することができる、というものであった。
【０００３】
【発明が解決しようとする課題】
しかしながら、上記公報に開示されたような従来のベンチレーテッドロータでは、理論的には任意の直径節の振動モードの発生を防止してブレーキ鳴きを低減することが可能となっているが、実際の車両に適用することを考えると、ブレーキ鳴きの低減代は未だ不十分であった。
【０００４】
一方、本出願人は、さらにブレーキ鳴きを低減できる技術として、特願平９−２５３４９１号という先願（本件出願時点では未公開）を提案している。
即ち、上記先願によれば、所定個数のリブの配設位置をずらす、所定個数のリブを半径方向に分割する、若しくはその両方を採用したベンチレーテッドロータとしているため、摺動板の軸方向の曲げ剛性（たわみ剛性）の大幅な低下を招くことなく、任意の次数の直径節モードの重根を分離してブレーキ鳴きを低減できるという効果を奏することができる。
【０００５】
確かに、上記先願によれば上記のような効果を奏することができるが、ベンチレーテッドロータの具体的構造と低減したい直径節モードとの関係によっては、対処が困難な場合があることが判った。
そもそも、ブレーキ鳴きは、ブレーキ全系の自励共振であり、特にディスクロータの回転方向固有値と軸方向（回転軸に沿った方向）固有値とが連成することにより、回転方向固有値の１次、２次の周波数で発散することにより生じる現象である。
【０００６】
そして、例えば、あるディスクロータは、リブの個数が３６であり、回転方向固有値の２次と軸方向固有値の４次、８次とが連成してブレーキ鳴きが発生し易くなっていると仮定すると、ブレーキ鳴きを低減するためには、４次、８次の直径節モードの重根を分離すればよいことが判る。かかるディスクロータで４次の直径節モードの重根を分離するために上記先願を適用しようとすると、具体的には、９個（＝３６／４）置きの計４個リブに対して上記先願のような対処を講じることになるが、その３６個のリブが二種類のリブ（例えば、長めのリブと短めのリブとからなる二種類のリブ、或いは、径方向外端側が太い“ひょうたん型リブ”であって長めのリブと全体的に細めで且つ短めのリブとからなる二種類のリブ）から構成されており、その二種類のリブを交互に配置したようなベンチレーテッドロータであると、上記９個置きの計４個のリブのうち、周方向で隣り合った二つのリブ同士は形状が異なることになるため、上記先願をそのまま適用することは困難であった。
【０００７】
本発明は、このような従来の技術における解決すべき課題に着目してなされたものであって、上記先願を適用できない場合にも適用可能で、ブレーキ鳴きをさらに低減することができるベンチレーテッドロータを提供することを目的としている。
【０００８】
【課題を解決するための手段】
上記目的を達成するために、請求項１に係る発明は、対向する一対の摺動板の間に、放射状に延びるように複数Ｎ個のリブを介在させることによりベンチレーション孔を形成したディスクブレーキ用のベンチレーテッドロータであって、前記複数Ｎ個のリブのうち周方向に所定角度（３６０／ｎ度）離隔した任意のｎ個のリブのそれぞれをコアとし、各コアとそのコアを中心としてその両側に並ぶリブとからなるｋ個（３≦ｋ≦Ｎ／ｎ）のリブを一つのグループとしてｎ個のグループを想定した場合に、周方向で隣り合った前記コア同士は質量が異なり且つこのベンチレーテッドロータの回転軸に沿った方向の前記各グループの曲げ剛性が等しくなるように、前記グループに含まれるリブの質量を増減した。
【０００９】
上記目的を達成するために、請求項２に係る発明は、対向する一対の摺動板の間に、放射状に延びるように３６個のリブを介在させることによりベンチレーション孔を形成しており、前記３６個のリブは、長さの異なる二種類のリブで構成され、それら二種類のリブを交互に且つ等間隔に配置しているディスクブレーキ用のベンチレーテッドロータであって、前記３６個のリブのうち周方向に９０度離隔した任意の４個のリブのそれぞれをコアとし、各コアとそのコアの両側のリブとからなる３個のリブを一つのグループとして４個のグループを想定した場合に、このベンチレーテッドロータの回転軸に沿った方向の前記各グループの曲げ剛性が等しくなるように、前記グループに含まれるリブの質量を増減した。
【００１０】
そして、請求項３に係る発明は、上記請求項２に係る発明であるベンチレーテッドロータにおいて、前記コア同士が周方向に１８０度離隔した二つの前記グループを、同一構成とした。
【００１１】
【発明の効果】
本発明によれば、任意の個数のリブとその両側にあるリブとから構成されるグループを想定し、グループ毎に回転軸に沿った方向の曲げ剛性を考え、その各グループの曲げ剛性が等しくなるようにグループに含まれるリブの質量を適宜増減するようにしたため、ｎ次の直径節モードの重根を分離する場合、ｎ個置きのリブの形状が同一でなくても容易に対処でき、ブレーキ鳴きを低減できるという効果を得ることができる。
【００１２】
特に、請求項３に係る発明であれば、ベンチレーテッドロータとしての回転バランスを損なう可能性を確実に低減できるという効果もある。
【００１３】
【発明の実施の形態】
以下、この発明の実施の形態を図面に基づいて説明する。
図１及び図２は本発明の第１の実施の形態を示す図であって、図１は本発明に係るベンチレーテッドロータ１の一部破断正面図、図２は図１のＡ−Ａ線断面図である。
【００１４】
即ち、このベンチレーテッドロータ１は、車両幅方向外側に配設されるアウタ側の摺動板２と、この摺動板２に平行に対向して車両幅方向内側に配設されるインナ側の摺動板３と、を有していて、これら摺動板２及び３の中央部は大きく開口しており、アウタ側の摺動板２の内周部には、車軸への取付の際に利用される円筒部４が同軸に固定されている。円筒部４の底部４Ａには、ボルト挿通用の複数の孔４ａ等が形成されている。
【００１５】
そして、一対の摺動板２及び３間には、３６（Ｎ）個のリブＲ１  、Ｒ２  、…、Ｒ３５、Ｒ３６が、半径方向に沿って放射状に延びるように介在していて、それらリブＲ１  〜Ｒ３６のそれぞれの間がベンチレーション孔６，…，６となっている。
リブＲ１  〜Ｒ３６は、周方向に等間隔（３６０／３６＝１０度）離隔して配置されていて、長さの異なる二種類のリブで構成されている。具体的には、径方向内端側に比べて外端側の幅が広いひょうたん型で長めのリブＲ１  、Ｒ  ３、…、Ｒ３５と、内端から外端まで幅は均一の短めのリブＲ２  、Ｒ４  、…、Ｒ３６とから構成されていて、その長さの異なる二種類のリブが交互に配置されている。ただし、長さは異なっていても、各リブＲ１  〜Ｒ３６は、その径方向外端部を同一円上に揃えて配置されている。
【００１６】
ベンチレーテッドロータ１の基本構成は以上の通りである。
そして、本実施の形態のベンチレーテッドロータ１は、回転方向固有値と、軸方向固有値の４次、８次、１２次とが連成してブレーキ鳴きが発生し易くなっていると仮定する。
そこで、９個（＝Ｎ／ｎ＝３６／４）置きの計４個のリブＲ１  、Ｒ１０、Ｒ１９、Ｒ２８のそれぞれをグループのコアとして、４次の直径節モードの重根を分離するための対策を行なっている。
【００１７】
即ち、上記コアのうち、周方向に１８０度離隔したリブＲ１  、Ｒ１９は、本来はひょうたん型リブであるが、ひょうたん型リブの基本的な形状であるリブＲ３  等と比べて、径方向内端部から外端部に渡って太くしてその質量を増加するとともに、同じく周方向に１８０度離隔したリブＲ１０、Ｒ２８も、短めのリブの基本的な形状であるリブＲ４  等と比べて、径方向内端部から外端部に渡って太くしてその質量を増加している。
【００１８】
そして、各リブＲ１  、Ｒ１０、Ｒ１９、Ｒ２８を中心として、それぞれの両隣のリブを含む計３（ｋ）個のリブによって、４（ｎ）個のグループＧ１  、Ｇ２  、Ｇ３  及びＧ４  を形成している。第１グループＧ１  はリブＲ３６、Ｒ１  、Ｒ２  で構成され、第２グループＧ２  はリブＲ９  、Ｒ１０、Ｒ１１で構成され、第３グループＧ３  はリブＲ１８、Ｒ１９、Ｒ２０で構成され、第４グループＧ４  はリブＲ２７、Ｒ２８、Ｒ２９で構成されている。なお、第１グループＧ１  及び第３グループＧ３  は位置が異なるだけで同一構成であり、第２グループＧ２  及び第４グループＧ４  も位置が異なるだけで同一構成であるため、以下、第１グループＧ１  及び第２グループＧ２  についてその構成を説明する。
【００１９】
第１グループＧ１  の中心にあるリブＲ１  は、上述のようにひょうたん型リブを太めにしたものであるが、その両隣にあるリブＲ３６、Ｒ２  は細めのリブのままである。これに対し、第２グループＧ２  の中心にあるリブＲ１０は、上述のように短めのリブを太めにしたものである。そして、リブＲ１０の両隣のリブＲ９  、Ｒ１１は本来ならばリブＲ３  のようなひょうたん型のリブであるが、第１グループＧ１  及び第２グループＧ２  単位での軸方向の曲げ剛性（軸方向及び曲げ剛性の向きは、図２に示す通りである。）を考えると、このままでは、二つのひょうたん型リブの間に太めのリブを配した第２グループＧ２  の方が、細めのリブＲ３６、Ｒ２  を含む第１グループＧ１  に比べて、曲げ剛性が大きくなる。
【００２０】
そこで、本実施の形態では、第２グループＧ２  内の二つのリブＲ９  、Ｒ１１の形状を、他のひょうたん型リブとは異ならせている。具体的には、リブＲ９  、Ｒ１１のリブＲ１０側の辺が真っ直ぐになるように、ひょうたん型リブの頭部の膨らみの片側部分を除去してその質量を減少している。これにより、第１〜４のグループＧ１  〜Ｇ４  の軸方向の曲げ剛性を等しくしている。
【００２１】
このように、本実施の形態のベンチレーテッドロータ１によれば、９個置きのリブＲ１  、Ｒ１０、Ｒ１９、Ｒ２８の本来の形状が同一でなくても、それらリブＲ１  、Ｒ１０、Ｒ１９、Ｒ２８を含むグループＧ１  〜Ｇ４  の剛性が等価になるように、グループＧ１  〜Ｇ４  に含まれるリブの質量を増加又は減少しているため、４次の直径節モードの重根を分離でき、回転方向固有値と軸方向固有値の４次、８次、１２次とが連成して発生し易くなっていたブレーキ鳴きを、低減することができる。この点は、本発明者等が行った実験によって確認できた。
【００２２】
また、第１〜第４のグループＧ１  〜Ｇ４  のうち、回転中心軸を挟んで対称位置にある（つまり、周方向に１８０度離隔した位置にある）グループＧ１  とＧ３  、グループＧ２  とＧ４  を同一構成としているから、ベンチレーテッドロータ１の回転バランスが崩れるようなこともない。
さらに、本実施の形態では、径方向外端部が太くなっているひょうたん型リブＲ１  、Ｒ３  、…、Ｒ３５を一つ置きに配置したため、マスを付加したことと等価になり、これによる重根分離作用も得られ、さらに良好に重根を分離できる。
【００２３】
図３は本発明の第２の実施の形態を示す図であって、ベンチレーテッドロータ１の一部破断正面図である。なお、上記第１の実施の形態と同様の構成には同じ符号を付し、その重複する説明は省略する。
即ち、本実施の形態の構成は、第１グループのリブＲ１  、第２グループのリブＲ９  、Ｒ１０、Ｒ１１、第３グループのリブＲ１９、第４グループのリブＲ２７、Ｒ２８、Ｒ２９の形状が異なることを除いて、上記第１の実施の形態と同様である。なお、本実施の形態でも、第１グループＧ１  及び第３グループＧ３  は位置が異なるだけで同一構成であり、第２グループＧ２  及び第４グループＧ４  も位置が異なるだけで同一構成であるため、以下、第１グループＧ１  及び第２グループＧ２  についてその構成を説明する。
【００２４】
第１グループＧ１  の中心にあるリブＲ１  は、上記第１の実施の形態では、ひょうたん型リブを全体的に太くした形状であったが、本実施の形態では、頭部（径方向外側の膨らんだ部分）のみを、通常のひょうたん型リブＲ３  に比べて大きくしてその質量を増加している。
これに対し、第２グループＧ２  の中心にあるリブＲ１０は、短めのリブＲ４  と同じ形状のままである。そこで、各グループの曲げ剛性を等価にするために、第２グループＧ２  のリブＲ９  、Ｒ１１の頭部内側（リブＲ１０側）のみを、通常のひょうたん型リブＲ３  に比べて大きくしてその質量を増加している。
【００２５】
本実施の形態の構成であっても、上記第１の実施の形態と同様の作用効果を奏することができる。
なお、上記各実施の形態では、３６個のリブＲ１  〜Ｒ３６を有するベンチレーテッドロータ１に本発明を適用した場合について説明したが、本発明を適用可能なベンチレーテッドロータ１はこれに限定されるものではなく、リブの個数が３６個以外のベンチレーテッドロータ１に対しても当然に適用可能である。
【００２６】
また、上記各実施の形態では、４次の直径節モードの重根を分離するために、９個置きのリブＲ１  、Ｒ１０、Ｒ１９、Ｒ２８をコアとしてグループＧ１  〜Ｇ４  を構成しているが、いずれのリブをグループのコアにするかは、分離したい直径節モードの次数に基づいて適宜決定すればよい。
そして、上記各実施の形態では、コアとしてのリブＲ１  、Ｒ１０、Ｒ１９、Ｒ２８を中心として３個のリブで一つのグループを構成しているが、各グループを構成するリブの個数は３以上でもよく、その上限値は、Ｎ／ｎ個（上記実施の形態であれば、９個）である。
【００２７】
またさらに、上記各実施の形態では、リブＲ１  〜Ｒ３６としてひょうたん型の長めのリブと、細くて短めのリブとを採用しているが、リブの形状はこれに限定されるものでもない。
【図面の簡単な説明】
【図１】第１の実施の形態のベンチレーテッドロータの一部破断正面図である。
【図２】図１のＡ−Ａ線断面図である。
【図３】第２の実施の形態のベンチレーテッドロータの一部破断正面図である。
【符号の説明】
１            ベンチレーテッドロータ
２、３        摺動板
６            ベンチレーション孔
Ｒ１  〜Ｒ３６    リブ
Ｒ１  、Ｒ１０、Ｒ１９、Ｒ２８  コア
【図１】
0003582392.tif 000002
【図２】
0003582392.tif 000003
【図３】
0003582392.tif 000004